(57)【要約】負荷がかかったスキーの組が左または右に曲がる際に、各使用可能な地面（Ｐ）に対して、各左または右のスキーエッジ（１５’、１５’’）区域が、スキーエッジ（１５’、１５’’）の少なくとも１つの区域において横滑りすることなく、滑らかかつ基本的に等距離に滑走することを保証するために、本発明によるスキーは、長手方向軸（Ｌ０）の回りで所定の角度（ψ）で前部部分（１００）の先端（１０１）区域で屈曲し、線（Ｌ３）に沿って半径（Ｒ）だけ地面（Ｐ）から湾曲する。線（Ｌ３）は、左のスキーエッジ（１５’’）上の前部屈折点（Ｔ１１）及び右のスキーエッジ（１５’’）上の前部屈折点（Ｔ１２）を通じて、後部部分（３００）と、中央部分（２００）と、先端（１０１）を除く前部部分（１００）とにおいて長手方向軸（Ｌ０）に対して傾斜して延在する。それによって、上面図で見るとこのようなスキー周囲の外観が現実的に対称的であることにもかかわらず、左のスキーエッジ（１５’）上の前部屈折点（Ｔ１１）と後部屈折点（Ｔ２１）との間の距離と、右のスキーエッジ（１５’’）上の前部屈折点（Ｔ１２）と後部屈折点（Ｔ２２）との間の距離は基本的に互いに異なる。そのため、スキーエッジ（１５’、１５’’）両方の使用可能な長さも互いに異なる。【選択図】図１
2013542040.tif 000002
【特許請求の範囲】
【請求項１】
非対称の特徴を有し、適切な半径（Ｒ）で地面（Ｐ）から屈曲する先端（１０１）を備える前部部分（１００）と、スキー靴を前記スキーに取り付けるために用いる適切なスキーのビンディングを装着するように適応される中央部分（２００）と、後端（３０１）を備える後部部分（３００）とを備えるスキーであって、
前記スキーは、前記スキーの長手方向軸（Ｌ０）まで長方形に延在する各横断線（Ｌ１、Ｌ２）に沿った断面視では、コア（１０）を備え、前記コア（１０）は、一方では、前記地面（Ｐ）に対面する前記スキーの下部側に配置される少なくとも１つの底部支持層（１１）と内部接続し、他方では、前記地面（Ｐ）とは反対側に向く前記スキーの上部層に配置される少なくとも１つの上部支持層（１２）と内部接続し、
前記コア（１０）は、側壁（１３’、１３’’）によって側面を覆われ、その下部にスキーエッジ（１５’、１５’’）が配置され、前記スキーエッジ（１５’、１５’’）の間かつ各使用可能な底部支持層（１１）の下部に摺動面（１４）が配置され、前記少なくとも１つの上部支持層（１２）は少なくとも１つの好ましくは装飾された上部被覆層（１６）によって覆われ、
前記スキーの前記中央部分（２００）は、前記地面（Ｐ）から離れて湾曲し、それによって解放される前記スキーは、両方のスキーエッジ（１５’、１５’’）の前記区域において前記地面（Ｐ）に接し、前記スキーエッジ（１５’、１５’’）上の屈折点（Ｔ１１、Ｔ１２；Ｔ２１、Ｔ２２）の前記領域における前記摺動面（１４）は、前記スキーの前記前部部分（１００）及び前記後部部分（３００）の最大幅の前記区域内に少なくとも略配置され、前記先端（１０１）と前記湾曲中央部分（２００）との間の前記前部屈折点（Ｔ１１）における前記左のスキーエッジ（１５’）に沿って、ならびに前記スキーの前記湾曲中央部分（２００）と前記後部部分（３００）の前記後端（３０１）との間の前記後部屈折点（Ｔ２１）における前記左のスキーエッジ（１５’）に沿って配置され、さらに、前記先端（１０１）と前記湾曲中央部分（２００）との間の前記前部屈折点（Ｔ１２）における前記右のスキーエッジ（１５’’）に沿って、ならびに前記スキーの前記湾曲中央部分（２００）と前記後部部分（３００）の前記後端（３０１）との間の前記後部屈折点（Ｔ２２）における前記右のスキーエッジ（１５’’）に沿って配置され、
前記先端（１０１）の前記区域において、前記スキーは長手方向軸（Ｌ０）の回りを所定の角度（ψ）で回転され、さらに、前記左のスキーエッジ（１５’）上の前記前部屈折点（Ｔ１１）及び前記右のスキーエッジ（１５’’）上の前記前部屈折点（Ｔ１２）を通る線（Ｌ３）に沿って前記地面（Ｐ）から半径（Ｒ）で屈曲し、前記線は前記長手方向軸（Ｌ０）に対して傾斜して延在し、前記長手方向軸（Ｌ０）は、前記スキーの前記後部部分（３００）と、前記中央部分（２００）と、前記前部部分（１００）とに沿って前記先端（１０１）を除いて延在し、それによって、前記上面視での前記スキーが視覚的に対称的な輪郭を有するにも関わらず、前記左のスキーエッジ（１５’）の前記前部屈折点（Ｔ１１）と前記後部屈折点（Ｔ２１）との間の前記距離は、前記右のスキーエッジ（１５’’）の前記前部屈折点（Ｔ１１）と前記後部屈折点（Ｔ２１）との間の前記距離とは異なり、それによって、両方のスキーエッジ（１５’、１５’’）の使用可能な長さは互いに異なり、スキーの各組において、前記スキーの前記内側に配置される前記スキーエッジ（１５’、１５’’）の前記使用可能な長さは、前記スキーの前記外側の前記使用可能な長さより長い
ことを特徴とするスキー。
【請求項２】
前記左のスキーエッジ（１５’）上の前記前部屈折点（Ｔ１１）と前記後部屈折点（Ｔ２１）との間の前記距離と、前記右のスキーエッジ（１５’）上の前記前部屈折点（Ｔ１２）と前記後部屈折点（Ｔ２２）との間の距離は、
前記線（Ｌ３）と前記線（Ｌ１）とが所定の第１の角度（ａ）を画定するように決定され、前記線（Ｌ３）は前記スキーの前記前部部分（１００）上の前記左及び右のスキーエッジ（１５’、１５’’）上の両方の前部屈折点（Ｔ１１、Ｔ１２）を通じて延在し、前記線（Ｌ１）は横向きに延在し、前記スキーの前記長手方向軸（Ｌ０）に垂直かつ前記摺動面（１４）に平行に延在し、
前記線（Ｌ４）と前記線（Ｌ２）とが所定の第２の角度（β）を画定するように決定され、前記線（Ｌ４）は前記スキーの前記後部部分（３００）上の前記左及び右のスキーエッジ（１５’、１５’’）上の両方の後部屈折点（Ｔ２１、Ｔ２２）を通じて延在し、前記線（Ｌ２）は横向きに延在し、前記スキーの前記長手方向軸（Ｌ０）に垂直かつ前記摺動面（１４）に平行に延在し、
前記第１及び第２の角度（α、β）は互いに等しい
請求項１に記載のスキー。
【請求項３】
前記左のスキーエッジ（１５’）上の前記前部屈折点（Ｔ１１）と前記後部屈折点（Ｔ２１）との間の前記距離と、前記右のスキーエッジ（１５’）上の前記前部屈折点（Ｔ１２）と前記後部屈折点（Ｔ２２）との間の距離は、
前記線（Ｌ３）と前記線（Ｌ１）とが所定の第１の角度（ａ）を画定するように決定され、前記線（Ｌ３）は前記左及び右のスキーエッジ（１５’、１５’’）上の前記スキーの前記前部部分（１００）上の両方の前部屈折点（Ｔ１１、Ｔ１２）を通じて延在し、前記線（Ｌ１）は横向きに延在し、つまり、前記スキーの前記長手方向軸（Ｌ０）に垂直かつ前記摺動面（１４）に平行に延在し、
前記線（Ｌ４）と前記線（Ｌ２）とが所定の第２の角度（β）を画定するように決定され、前記線（Ｌ４）は前記スキーの前記後部部分（３００）上の前記左及び右のスキーエッジ（１５’、１５’’）上の両方の後部屈折点（Ｔ２１、Ｔ２２）を通じて延在し、前記線（Ｌ２）は横向きに延在し、前記スキーの前記長手方向軸（Ｌ０）に垂直かつ前記摺動面（１４）に平行に延在し、
前記第１及び第２の角度（α、β）は互いに異なる
請求項１に記載のスキー。
【請求項４】
短い使用可能な長さを有する各スキーエッジ（１５’、１５’’）上の前記屈折点（Ｔ１１、Ｔ１２；Ｔ２１、Ｔ２２）間の前記区域は、前記横断線（Ｌ１、Ｌ２）によって区切られる前記区域内に配置され、反対に、長い使用可能な長さを有する各スキーエッジ（１５’、１５’’）上の前記屈折点（Ｔ１１、Ｔ１２；Ｔ２１、Ｔ２２）間の前記区域は、前記横断線（Ｌ１、Ｌ２）によって区切られる前記区域を超える
請求項２または３に記載のスキー。
【請求項５】
前記スキーが左または右に曲がる際の前記軌道曲線の各所望する半径は、前記先端（１０１）が屈曲する前記線（Ｌ３）を前記スキーの前記長手方向軸（Ｌ０）に対して画定する手段によって規定され、前記左のスキーエッジ（１５’）上の前記屈折点（Ｔ１１、Ｔ２１）及び前記右のスキーエッジ（１５’’）上の前記屈折点（Ｔ１２、Ｔ２２）の位置を決定する手段によって規定され、それによって、スキーの各組が曲がる際に、前記スキーエッジ（１５’、１５’’）の屈折点（Ｔ１１、Ｔ２１；Ｔ１２、Ｔ２２）の各組間の有効な長さが異なるため、各外側のスキーの前記軌道曲線の前記半径は各内側のスキーの前記軌道曲線の前記半径よりも大きく、スキーの各組において両方のスキーの前記屈折点（Ｔ１１、Ｔ２１；Ｔ１２、Ｔ２２）は鏡面対称である
請求項１ないし４のいずれかに記載のスキー。
【請求項６】
前記左のスキーエッジ（１５’）及び前記右のスキーエッジ（１５’’）の使用可能な長さが異なるようにするため、前記左のスキーエッジ（１５’）上の前記前部屈折点（Ｔ１１）と前記後部屈折点（Ｔ２１）との間の前記距離と、前記右のスキーエッジ（１５’’）上の前記前部屈折点（Ｔ１２）と前記後部屈折点（Ｔ２２）との間の前記距離が異なるようにするために、短い使用可能な長さを有するべきであるスキーエッジ（１５’、１５’’）上の屈折点（Ｔ１１、Ｔ２１；Ｔ１２、Ｔ２２）の前記領域において各使用可能な支持層（１１、１２）の少なくとも１つ上で部分的に弱い区域（１２’、１２’’）を予測し、それによって対応して、両方のスキーエッジ（１５’、１５’’）の前記地面（Ｐ）に対する圧縮の配分も互いに異なる
請求項１ないし５のいずれかに記載のスキー。
【請求項７】
前記部分的に弱い区域（１２’）を前記スキーの前記前部部分（１００）上に予測、短い使用可能な長さを有する前記スキーエッジ（１５’、１５’’）の前記前部屈折点（Ｔ１１、Ｔ１２）の前記領域において予測し、少なくとも１つの別の弱い区域（１２’’）を前記スキーの前記後部部分（３００）上に予測、短い使用可能な長さを有する前記スキーエッジ（１５’、１５’’）の屈折点（Ｔ２１、Ｔ２２）の前記領域において予測し、それによって、関連するスキーエッジ（１５’、１５’’）の前記使用可能な長さは、前記部分的に弱い区域（１２’、１２’’）間の前記距離に少なくとも略対応する
請求項６に記載のスキー。
【請求項８】
前記部分的に弱い区域（１２’、１２’’）は、前記スキーの前記上部支持層（１２）における切欠きである
請求項６または７に記載のスキー。
【請求項９】
前記部分的に弱い区域（１２’、１２’’）は、前記スキーの前記上部支持層（１２）および前記底部支持層（１１）における切欠きである
請求項６または７に記載のスキー。
【請求項１０】
前記スキーの前記上部支持層（１２）は、前記スキーの前記前部部分（１００）に配置される部分的に弱い区域（１２’）と、前記スキーの前記後部部分（３００）に配置される前記部分的に弱い区域（１２’’）とを備え、前記上部支持層（１２）はさらに、傾斜した端部部分を備える少なくとも１つの補足支持層（１２１、１２２、１２３、１２４、１２５）と組み合わされ、各上部補足支持層（１２１、１２２、１２３、１２４、１２５）の前記長さは各下部補足支持層（１２１、１２２、１２３、１２４、１２５）の前記長さより短く、各傾斜端部部分は前記部分的に弱い区域が配置される前記スキーの前記長手方向軸（Ｌ０）側の各補足支持層（１２１、１２２、１２３、１２４、１２５）の前記長さが、前記長手方向軸（Ｌ０）の前記反対側の長さよりも短くなるように切断される
請求項８または９に記載のスキー。
【請求項１１】
短い使用可能な長さを有する前記スキーエッジ（１５’、１５’’）上の前記前部屈折点（Ｔ１１、Ｔ１２）の前記領域において、前記スキーの前記前部部分（１００）上に予測される前記部分的に弱い区域（１２’）と、短い使用可能な長さを有する前記スキーエッジ（１５’、１５’’）上の前記後部屈折点（Ｔ２１、Ｔ２２）の前記領域において、前記スキーの前記後部部分（３００）に予測される少なくとも１つの別の部分的に弱い区域（１２’’）は、前記摺動面（１４）に対して少なくとも略垂直に延在する凹部（１２’、１２’’）として使用可能である
請求項６に記載のスキー。
【請求項１２】
前記凹部の形状の前記弱い区域（１２’）は、前記前部屈折点（Ｔ１１、Ｔ１２）の前記領域において前記スキーの前記前部部分（１００）上で使用可能であり、前記弱い区域（１２’）は前記第１のスキーエッジ（１５’）から離れ、かつ前記先端（１０１）に向かって前記スキーの前記長手方向に最初に延在し、前記先端（１０１）上には、前記スキーの前記長手方向において、前記第２のスキーエッジ（１５’’）から離れ、かつ前記先端（１０１）に向かって継続するために、前記スキーの前記長手方向軸（Ｌ０）は正弦またはＳ字状に転移する前記区域において通過する一方、前記凹部の形状のもう１つの弱い区域（１２’’）は、前記後部屈折点（Ｔ２１、Ｔ２２）の前記領域において前記スキーの前記後部部分（３００）上で使用可能であり、前記もう１つの弱い区域（１２’’）は前記第１のスキーエッジ（１５’）から離れ、かつ前記後端（３０１）に向かって前記スキーの前記長手方向に最初に延在し、前記後端（３０１）上には、前記スキーの前記長手方向において、前記第２のスキーエッジ（１５’’）から離れ、かつ前記後端（３０１）に向かって継続するために、前記スキーの前記長手方向軸（Ｌ０）は正弦またはＳ字状に転移する前記区域において通過する
請求項６に記載のスキー。
【請求項１３】
前記凹部の形状の前記弱い区域（１２’、１２’’）は、前記スキーの前記上部支持層（１２）上に予測される
請求項１２に記載のスキー。
【請求項１４】
前記凹部の形状の前記弱い区域（１２’、１２’’）は、前記スキーの前記上部支持層（１２）上と、前記コア（１０）の前記区域にも予測される
請求項１２に記載のスキー。
【請求項１５】
前記凹部の形状の前記弱い区域（１２’、１２’’）は、前記スキーの前記上部支持層（１２）上と、前記コア（１０）の前記区域（１０）と、前記底部支持層（１１）にも予測される
請求項１２に記載のスキー。
【発明の詳細な説明】
【技術分野】
【０００１】
本発明は、スポーツに属し、具体的にはスキーの硬さを調節することに関する手段に属する。
【０００２】
本発明の目的は、スキーを作製することである。このスキーは、上面図周辺の寸法が基本的に不変であり、その外観が少なくとも略対称的であるにもかかわらず、両方のスキーエッジの領域における所定かつ規定の屈曲及びねじり剛性という意味では、非対称の特徴を有するものである。それにより、スキーを曲げることによって、左のスキーの滑走軌道の半径と右のスキーの滑走軌道の半径は異なり、次のような方法で相関する。つまり、左または右に曲がるときにスキーの各組を規則的に滑走させることによって、適切に負荷をかけた右または左のスキーエッジの軌道は、スキーエッジのいずれも横滑りすることなく、少なくとも略等距離を保つような方法で相関する。
【０００３】
左のスキーエッジの滑走の軌道半径と、右のスキーエッジの滑走の軌道半径が異なるスキーは、特許文献１（Ｓａｌｏｍｏｎ  Ｓ．Ａ．）に記載されている。
このスキーはコアを備え、コアの下には支持層の底部セットが配置され、その下には摺動面がスキーエッジと共に使用可能である。コア上には、支持層の上部セットがあり、その上には適切に装飾された上部被覆層が配置される。支持層のコア及び上部セットは特別に設計され、支持層のセットは、スキーの少なくとも１つの外表面に沿って対応するスキーエッジまで下方に傾斜する。層のセットの少なくとも１つの層は非対称に設計され、それによって、スキーは局所的に、スキーの長手方向軸の一つの側面の所望する区域において強化される。それによって、区域における屈曲及び／またはねじり剛性は、長手方向軸の反対側よりも高い。
周知のように、一組のスキーを通常は用いる。スキーの各組を製造する際には、同一のコアを両方のスキーに用いる。その上に、複数の非対称の層がコアの上に配置され、スキーの形状の非対称の外観がもたらされる。したがって、左及び右のスキーエッジの区域における屈曲及びねじり硬さなどのこのようなスキーの特徴も、特に非対称のコアを用いてこのようなスキーを作る際には、非対称である。このようなスキーの外観も明らかに明白に非対称である。
しかしながら、非対称の支持層を提供するだけでは、このようなスキーを左または右に規則的に曲げる間に、左または右のスキーエッジに沿った各組の両方のスキーの滑走軌道を、少なくとも基本的に等距離にすることを保証することは不可能である。
【０００４】
さらに、コアと、コア下部に位置する底部支持層と、コア上部に位置する支持層とを備えるスキーは、特許文献２（Ｓｋｉｓ  Ｒｏｓｓｉｇｎｏｌ  Ｓ．Ａ．）に記載されている。
スキーエッジを備える摺動面は、底部支持層下部に配置され、上部被覆層は上部支持層上部に配置される。コアは側壁によって横向きに覆われる。コアはストリップを備え、スキーの前部部分及び後部部分の区域において、ストリップは上部支持層及び底部支持層に平行に延在する。スキーの中央部分では、ストリップは上部支持層及び底部支持層に対して湾曲、つまり傾斜する。その結果として、使用中にこのようなスキーに負荷をかけると、非対称の屈曲及びねじり変形が両方のスキーエッジに沿って起こることが予測される。一般的に、このような取り組みはスキーの非対称の外観をもたらさない。
しかしながら、たとえば複数度の傾斜でストリップが少し軽く湾曲することだけでは、このようなスキーを左または右に曲げることによる軌道半径には基本的に差は生じないことを考慮すべきである。スキーの中央部分のストリップの傾斜を増加することによって、コアの厚さは基本的に増加し、結果的にスキーの中央部分の厚さ全体も増加する。これは、立ち位置の上昇を招き、さらに、スキーの中央部分の硬さも基本的に増加し、弾力性が減少する結果となる。さらに、ストリップの形状のおかげで、スキーの前部部分及び後部部分は、スキーの中央領域が圧縮及び屈曲を受けるとすぐに、理論的にはスキーの中央部分に対して回転しなくてはならない。
これは、一方では、スキーを直進して滑走させることによって、スキーを直角方向に曲げるだけで、このようなスキーは自動的に回転して直進方向から外れて滑走する傾向があることを意味する。他方では、曲がる際には、スキーの各組の外側のスキーは、通常は内側のスキーよりもはるかに大きい負荷を受け、外側のスキーの前部部分及び後部部分の回転が大きくなることによって、小さい半径の軌道に沿ってスキーが滑走することになる。これによって、外側のスキーは急速に内側のスキーに近づく。これは、次に、少なくとも１つのスキーエッジを適切に横滑りさせることによって修正することができる。これによって、基本的に速度が減少し、回転によってスキーを制御することがはるかに難しくなる。
【０００５】
さらに、特許文献３（Ｈａｌｄｅｍａｎｎ）も、コアと、コア下部に位置する底部支持層と、コア上部に位置する上部支持層とを備えるスキーを開示する。
スキーエッジを備える摺動面は底部支持層下部に配置され、上部被覆層は上部支持層上部に配置される。コアは側壁によって横向きに覆われる。スキーの各組の各スキーのねじり剛性を増加するために、補足支持層は上部支持層の上に配置され、各スキーの中央長手方向軸に対して非対称に延在する。左のスキーを観測すると、補足層は全体の幅に沿ってスキーの中央部分上に配置され、スキーの前部部分及び後部部分上では、補足層は右のスキーエッジの領域上でのみ使用可能である。反対に、左のスキー上では、補足層は、全体の幅に沿ってスキーの中央部分上に配置され、スキーの前部部分及び後部部分上では、補足層は、左のスキーエッジの領域上でのみ使用可能である。このような手段によって、スキーエッジの領域のねじり剛性が増加し、スキーエッジは、スキーを左または右に曲げることによって、ねじり変形により多くさらされ、具体的には、ち密に凍った地面上でスキーを滑走させることで、負荷をかけたスキーエッジが、振動及び同様に意図しない効果を伴って横滑りする。
ここで、スキーの特徴を基本的に向上させることができる補足層をスキーに設けると、スキーの厚さが基本的に増加し、結果的にスキーの重さ及び屈曲剛性も増加する。当業者は、この事例においても、非対称の概念によって、修正したスキーの外観及びこのようなスキーの非対称の形状が不可避的に発生することを理解するであろう。回転するスキー各組の外側のスキーのねじり剛性を増加するだけでは、前述の手段はむしろ完全に反対の効果をもたらすため、外側及び内側のスキーを互いから離間して略一定の距離で、信頼できる滑走を行うという意味では貢献できないことも明らかである。
【先行技術文献】
【特許文献】
【０００６】
【特許文献１】欧州特許第１４８４０９１号
【特許文献２】欧州特許第０６６１０８６号
【特許文献３】スイス特許公開第６８１０６１号
【発明の概要】
【発明が解決しようとする課題】
【０００７】
本発明は、非対称の特徴を有するスキーに関する。本発明のスキーは、適切な半径で地面から屈曲する先端を備える前部部分と、スキー靴をスキーに取り付けるために用いる適切なスキーのビンディングを装着するように適応される中央部分と、後端を備える後部部分とを備える。さらに、スキーは、スキーの長手方向軸まで長方形に延在する各横断線に沿った断面で観測すると、コアを備える。コアは、一方では、地面に対面するスキーの下部側に配置される少なくとも１つの底部支持層と内部接続し、他方では、地面とは反対側に向くスキーの上部層に配置される少なくとも１つの上部支持層と内部接続する。コアは側壁によって側面を覆われ、その下部にスキーエッジが配置される。スキーエッジの間かつ各使用可能な底部支持層の下部に摺動面が配置される。少なくとも１つの上部支持層は少なくとも１つの好ましくは装飾された上部被覆層によって覆われる。スキーの中央部分は地面から離れて湾曲し、それによって解放されるスキーは、両方のスキーエッジの区域において地面に接する。スキーエッジ上の屈折点の領域における摺動面は、スキーの前部部分及び後部部分の最大幅の区域内に少なくとも略配置される。すなわち先端と湾曲中央部分との間の前部屈折点における左のスキーエッジに沿って、ならびにスキーの湾曲中央部分と後部部分の後端との間の後部屈折点における左のスキーエッジに沿って配置され、さらに、先端と湾曲中央部分との間の前部屈折点における右のスキーエッジに沿って、ならびにスキーの湾曲中央部分と後部部分の後端との間の後部屈折点における右のスキーエッジに沿って配置される。
【０００８】
本発明は、スキーが、長手方向軸の回りを所定の角度で回転し、さらに、左のスキーの前部屈折点と右のスキーの前部屈折点を通過する線に沿って半径分だけ地面Ｐから湾曲する。線は、スキーの後部部分、中央部分、先端を除いて前部部分を通過して延在する長手方向軸に対して傾斜して延在する。そのため、上面から見たスキーの輪郭が視覚的に対称的であるにも関わらず、左のスキーエッジの前部屈折点と後部屈折点との間の距離は、右のスキーエッジの前部屈折点と後部屈折点との間の距離とは異なる。それにより、スキーエッジの両方の使用可能な長さは互いに異なり、スキーの各組において、スキーの内側に位置するスキーエッジの使用可能な長さは、スキーの外側の使用可能な長さより長い。
【０００９】
さらに本発明によれば、左のスキーエッジ上の前部屈折点と後部屈折点との間の距離と、右のスキーエッジの前部屈折点と後部屈折点との間の距離とは次のように決定される。スキーの前部部分上の左及び右のスキーエッジ上の両方の前部屈折点を通じて延在する線と、横向きに延在し、つまり、スキーの長手方向軸に垂直、かつ摺動面に平行に延在する線とが所定の第１の角度を画定する。また、スキーの後部部分上の左及び右のスキーエッジ上の両方の後部屈折点を通じて延在する線と、横向きに延在し、つまり、スキーの長手方向軸に垂直かつ摺動面に平行に延在する線とが所定の第２の角度を画定する。このとき、第１及び第２の角度は互いに等しくなるように決定される。反対に、左のスキーエッジ上の前部屈折点と後部屈折点との間の距離と、右のスキーエッジの前部屈折点と後部屈折点との間の距離とは次のように決定される。スキーの前部部分上の左及び右のスキーエッジ上の両方の前部屈折点を通じて延在する線と、横向きに延在し、つまり、スキーの長手方向軸に垂直、かつ摺動面に平行に延在する線とが所定の第１の角度を画定する。スキーの後部部分上の左及び右のスキーエッジ上の両方の後部屈折点を通じて延在する線と、横向きに延在し、つまり、スキーの長手方向軸に垂直かつ摺動面に平行に延在する線とが所定の第２の角度を画定する。このとき、第１及び第２の角度は互いに異なるように決定される。さらに、本発明は、短い使用可能な長さを有する各スキーエッジ上の屈折点間の区域は、横断線によって区切られる区域内に配置され、反対に、長い使用可能な長さを有する各スキーエッジ上の屈折点間の区域は、横断線によって区切られる区域を超えることを提示する。
【００１０】
さらに、本発明によると、スキーが左または右に曲がる際の軌道曲線の各所望する半径は、先端が屈曲する線をスキーの長手方向軸に対して画定する手段によって規定される。すなわち左のスキーエッジ上の屈折点及び右のスキーエッジ上の屈折点の位置を決定する手段によって規定される。それによって、スキーの各組曲がる際に、スキーエッジの屈折点の各組間の有効な長さが異なるため、各外側のスキーの軌道曲線の半径は各内側のスキーの軌道曲線の半径よりも大きく、スキーの各組において両方のスキーの屈折点は鏡面対称である。
【００１１】
さらに、左のスキーエッジ及び右のスキーエッジの使用可能な長さが異なるようにするために、すなわち、左のスキーエッジ上の前部屈折点と後部屈折点との間の距離と、右のスキーエッジ上の前部屈折点と後部屈折点との間の距離が異なるようにするために、短い使用可能な長さを有するべきであるスキーエッジ上の屈折点の領域において、各使用可能な支持層の少なくとも１つ上で部分的に弱い区域を予測する。それによって、対応して、両方のスキーエッジの地面に対する圧縮の配分も互いに異なる。部分的に弱い区域をスキーの前部部分上に予測し、すなわち、短い使用可能な長さを有するべきであるスキーエッジの屈折点の領域において予測する。少なくとも１つの別の弱い区域をスキーの後部部分上に予測し、すなわち、短い使用可能な長さを有するべきであるスキーエッジの屈折点の領域において予測する。それによって、関連するスキーエッジの使用可能な長さは、部分的に弱い区域間の距離に少なくとも略対応する。部分的に弱い区域はスキーの上部支持層の切り欠き、またはスキーの上部支持層の切り欠きおよび底部支持層の切欠きであってもよい。
【００１２】
本発明の別の実施形態では、スキーの上部支持層は、スキーの前部部分に配置される部分的に弱い区域と、スキーの後部部分に配置される部分的に弱い区域を備える。上部支持層はさらに、傾斜した端部部分を備える少なくとも１つの補足支持層と組み合わされる。各上部補足支持層の長さは各下部補足支持層の長さより短く、各傾斜端部部分は、部分的に弱い区域が配置されるスキーの長手方向軸側の各補足支持層の長さが、長手方向軸の反対側の長さよりも短くなるように切断される。さらに別の実施形態では、短い使用可能な長さを有するスキーエッジ上の前部屈折点の領域において、スキーの前部部分上に予測される部分的に弱い区域と、短い使用可能な長さを有するスキーエッジ上の後部屈折点の領域において、スキーの後部部分に予測される少なくとも１つの別の部分的に弱い区域は、摺動面に対して少なくとも略垂直に延在する凹部として使用可能である。好ましくは、凹部の形状の弱い区域は、前部屈折点の領域においてスキーの前部部分上で使用可能である。弱い区域は第１のスキーエッジから離れ、かつ先端に向かって、スキーの長手方向に最初に延在する。先端上では、スキーの長手方向において、第２のスキーエッジから離れ、かつ先端に向かって継続するために、スキーの長手方向軸は正弦またはＳ字状に転移する区域を通過する。凹部の形状のもう１つの弱い区域は、後部屈折点の領域においてスキーの後部部分上で使用可能である。もう１つの弱い区域は第１のスキーエッジから離れ、かつ後端に向かって、スキーの長手方向に最初に延在する。後端上には、スキーの長手方向において、第２のスキーエッジから離れ、かつ後端に向かって継続するために、スキーの長手方向軸は正弦またはＳ字状に転移する区域を通過する。一実施形態では、凹部の形状の弱い区域はスキーの上部支持層上で予測されるが、別の実施形態では、凹部の形状の弱い区域はスキーの上部支持層上と、スキーのコアの区域でも予測される。さらに別の実施形態では、凹部の形状の弱い区域はスキーの上部支持層上と、コアと、底部支持層の区域にも予測される。
【図面の簡単な説明】
【００１３】
【図１】非対称の特徴を備えるスキーの斜視図
【図２】図１のスキーの前部部分の上面図
【図３】図１のスキーの前部部分を概略的に示す上面図
【図４】図２の矢印Ｃに沿った図１のスキーの前面図
【図５】図１のスキーの底面図
【図６】図１及び２のスキーの一実施形態の上面図
【図７】同、スキーの解放されたでありスキーエッジの使用可能な長さの図
【図８】同、スキーの負荷がかかった右のスキーエッジを下に圧縮した図
【図９】同、スキーの解放された左のスキーエッジの使用可能な長さの図
【図１０】同、スキーの負荷がかかった左のスキーエッジを下に圧縮した図
【図１１】同、スキーの右のスキーエッジの概略図
【図１２】同、スキーの左のスキーエッジの概略図
【図１３】同、線Ａ−Ａの区域のスキーの展開図
【図１４】同、線Ａ−Ａに沿ったスキーの断面図
【図１５】同、上部支持層の図
【図１６】本発明の別の実施形態のスキーの図
【図１７】本発明のさらに別の実施形態の図
【図１８】同、線Ｂ−Ｂに沿ったスキーの断面図
【図１９】同、線Ｂ−Ｂに沿ったスキーの別の実施形態の断面図
【図２０】同、線Ｂ−Ｂに沿ったスキーのさらに別の実施形態の断面図
【発明を実施するための形態】
【００１４】
本発明を添付図に示す実施形態によって説明する。
【００１５】
本発明によるスキー（図１）は相対的に弾力性があり、変形可能な屈曲ねじりビームであり、地面Ｐから離れて屈曲する前部部分と、スキー靴を取り付けるように適応される中央部分２００と、後部部分３００とを含む。各スキーの屈曲ねじりの特徴はスキーの適切な構造によってのみ、具体的には、コア１０（図１３及び１４）によってのみ得られる。
コア１０の下部には、地面Ｐに対面する側部上に少なくとも１つの底部支持層１１が配置され、コア１０の上部には、少なくとも１つの上部支持層１２が配置される。コア１０は側壁１３’、１３’’によって側部から覆われ、コア１０の下にはスキーエッジ１５’、１５’’が配置される。すなわち、左のスキーエッジ１５’及び右のスキーエッジ１５’’との間に摺動面１４が配置される。摺動面１４は底部支持層１１下部に対応して配置される。上部支持層１２は上部被覆層１６によって覆われる。上部被覆層１６は、好ましくは、側壁１３’、１３’’と共に、外部影響からコア１０及び支持層１１、１２を保護するように装飾され、意図される。コア１０によって維持される、底部と上部支持層１１、１２との間の距離のおかげで、スキーの適切な屈曲剛性が保証され、また、所望する各ねじり剛性は対応する形態及び支持層１１、１２の強度によって得られる。
【００１６】
スキーエッジ１５’、１５’’のそれぞれは、一般的に、前部部分１００の先端１０１から始まり、中央部分２００を経て端部部分、つまり後部部分３００の後端３０１まで至る、スキーの長さ全体に沿って連続して延在する。
一般的に、スキーはその中央部分２００で地面Ｐから離れて湾曲する。各スキーエッジ１５’、１５’’は、先端１０１から前部屈折点Ｔ１１、Ｔ１２を経て、中央部分２００の湾曲に向かって延在し、スキーの後部部分３００においては、湾曲から後部屈折点Ｔ２１、Ｔ２２を経て、相対的に直線的またはわずかに地面Ｐから湾曲している湾曲端部部分３０２に延在する。
たとえば図１１及び１２から明らかなように、左のスキーエッジ１５’上には、前部屈折点Ｔ１１及び後部屈折点Ｔ２１があり、右のスキーエッジ１５’’上には、前部屈折点Ｔ１２及び後部屈折点Ｔ２２がある。
【００１７】
本発明によると、スキーの前部部分１００（図２及び４）は、長手方向軸Ｌ０の回りを所定の角度ψで回転し、後部部分３００、中央部分２００、先端１０１を除いて前部部分１００を通過して、長手方向軸Ｌ０に関して傾斜して延在する線Ｌ３に沿って半径Ｒで地面Ｐから湾曲する。すなわち、左のスキーエッジ１５’の前部屈折点Ｔ１１及び右のスキーエッジ１５’’の前部屈折点Ｔ１２を通過する。
それによって、上面図においてスキーの輪郭が視覚的に略対称的な外観にも関わらず、左のスキーエッジ１５’の前部屈折点Ｔ１１と後部屈折点Ｔ２１との間の距離は、右のスキーエッジ１５’’の前部屈折点Ｔ１２と後部屈折点Ｔ２２との間の距離とは異なり、それにより、両方のスキーエッジ１５、１５’’の使用可能な長さは互いに異なる。
【００１８】
図９に示す左のスキーエッジ１５’の使用可能な長さは、屈折点Ｔ１１とＴ２１との間の距離に相当する。そこでは、解放されたスキーは地面Ｐ上に存在する。
同様に、図７に示す右のスキーエッジ１５’’の使用可能な長さは、屈折点Ｔ１２とＴ２２との間の距離に相当する。そこでは、解放されたスキーは地面Ｐ上に存在する。
本発明によるスキーは、上面図におけるスキーの輪郭の略対称的な外観にもかかわらず、両方のスキーエッジ１５’、１５’’の使用可能な長さは互いに異なるという事実を特徴とする。それにより、前部区域１００及び後部区域３００の左のスキーエッジ１５’の屈折点Ｔ１１とＴ２１との間の距離は、スキーの前部区域１００及び後部区域３００の右のスキーエッジ１５’’上の屈折点Ｔ１２とＴ２２との間の距離とは異なる。この点において、左のスキーエッジ１５’上の屈折点Ｔ１１とＴ２１との間の距離と、右のスキーエッジ１５’’上の屈折点Ｔ１２とＴ２２との間の距離は次のように決まる。
つまり、スキーの前部部分１００の左及び右のスキーエッジ１５’、１５’’の屈折点Ｔ１１、Ｔ１２を通過する線Ｌ３は、スキーの線Ｌ３及び長手方向軸Ｌ０の断面を横断する方向に延在する線Ｌ１と共に、角度αを画定する。
【００１９】
一方、スキーの後部部分３００の左及び右のスキーエッジ１５’、１５’’の屈折点Ｔ２１、Ｔ２２を通過する線Ｌ４は、スキーの線Ｌ４及び長手方向軸Ｌ０の断面を横断方向に延在する線Ｌ２と共に、角度βを画定する。角度α及びβは互いに等しくてもよいが、等しくなくてもよい。
スキーの前部及び後部区域１００、３００の横断線Ｌ１、Ｌ２を考慮に入れると、各屈折点Ｔ１１とＴ１２との間及びＴ２１とＴ２２との間のスキーエッジ１５’、１５’’の短い使用可能な長さは、横断線Ｌ１とＬ２との間の区域の範囲内であり、屈折点Ｔ１１とＴ１２との間及びＴ２１とＴ２２との間のスキーエッジ１５’、１５’’の長い使用可能な長さは、横断線Ｌ１、Ｌ２が限定する区域よりも長くなる。屈折点Ｔ１１とＴ１２との間及びＴ２１とＴ２２との間のスキーエッジ１５’、１５’’の使用可能な長さが異なるスキーの概念の結果として、スキーを左に曲げる際の軌道半径は、スキーを右に曲げる際の軌道半径とは異なる。
スキーの各組を同時に回転させると、各外側のスキーの軌道半径は各内側のスキーの軌道半径より大きくなる。それによって、スキーの各組を曲げることによって、毎回内側のスキー及び外側のスキーはお互いから略等距離で滑走する。当業者には、回転時のスキーの軌道の曲線の各半径は、左のスキーエッジ１５’上の屈折点Ｔ１１、Ｔ２１の各適切な位置、ならびに右のスキーエッジ１５’’上の屈折点Ｔ１２、Ｔ２２によって異なることが理解されよう。
すなわち、少なくともスキーエッジ１５’、１５’’上の前部屈折点Ｔ１１とＴ１２との間の線Ｌ３の位置、及びスキーの長手方向軸Ｌ０に対する先端１０１の回転角度ψによって異なる。スキーの各組の両方のスキー上の屈折点Ｔ１１、Ｔ１２、Ｔ２１、Ｔ２２は鏡面対称である。
【００２０】
本発明によると、前述のスキーの概念は、比較的単純な方法で、好ましくは、スキーエッジ１５’、１５’’上の屈折点Ｔ１１、Ｔ１２に隣接する支持層１１、１２の少なくとも１つにある対応する弱い区域１２’、１２’’と組み合わせて実現することができる。屈折点Ｔ１１、Ｔ１２は短い使用可能な長さ、すなわち、両方の屈折点Ｔ１１とＴ１２との間、Ｔ２１とＴ２２との間の距離を有する。
その結果として、弱い区域１２’、１２’’を上部支持層１２（図６及び１５）の切欠きによって実現可能である。切欠きは、スキーの前部部分１００または後部部分３００上のスキーエッジ１５’、１５’’のうち１つの屈折点Ｔ１１、Ｔ１２、Ｔ２１、Ｔ２２に隣接した区域にある。任意には、弱い区域１２’、１２’’を、適切に設計する各残留支持層１２１、１２２、１２３、１２４、１２５（図１６）と組み合わせて、またはスキーエッジ１５、１５’’の屈折点Ｔ１１、Ｔ１２、Ｔ２１、Ｔ２２の区域における凹部（図１７−２０）によって、実現可能である。これらすべての可能性を、より詳細に以下に説明する。
【００２１】
左のスキーエッジ１５’の使用可能な長さを減らすために、図６及び１５に示す実施形態では、上部支持層１２は２つの弱い区域１２’、１２’’を切欠きの形状で備える。
弱い区域１２’、１２’’は前部屈折点Ｔ１１及び後部屈折点Ｔ２１に隣接して配置される。図８及び１０に示すように、弱い区域１２’、１２’’を設けることによって、とりわけ、スキーエッジ１５、１５’’の区域における地面Ｐに対する圧縮が配分される。
スキーの前部及び後部部分１００、３００のねじり変形は、単に関連区域のスキー幅ならびに区域１００、３００におけるスキーのねじり剛性に依存する。スキーの前部部分１００及び／または後部部分３００における少なくとも１つの支持層１１、１２を弱くすることによって、より正確には、各対応するスキーエッジ１５’、１５’’の各関連する屈折点Ｔ１１、Ｔ１２、Ｔ２１、Ｔ２２に近接して、ねじり剛性は局所的に低減する。
それによって、スキーエッジ１５’、１５’’の使用可能な長さは低減し、スキーエッジ１５’、１５’’によって圧縮が生じる。それによって、回転時のスキーの軌道半径は対応して変化する。スキーの様々な特徴を保証するために、弱い区域１２’、１２’’は異なっていてもよい。スキーの長手方向軸Ｌ０、弱い区域１２’、１２’’は長手方向軸Ｌ０の１つの側に完全に配置することができる。または少なくとも弱い区域１２’、１２’’の主表面は、スキーの各組の外側に対応する長手方向軸Ｌ０の該当する側で使用可能である。弱い区域１２’、１２’’の残留部分はその表面全体のたとえば１０％から４０％以下であり、長手方向軸Ｌ０の反対側に配置されてもよい。
【００２２】
図１６に示す本発明の別の態様によると、支持層１１、１２の少なくとも１つの弱い区域１２’、１２’’は、別の補足支持層１２１、１２２、１２３、１２４、１２５の存在と組み合わされる。
別の補足支持層１２１、１２２、１２３、１２４、１２５は、スキーの中央領域２００から前部部分１００及び後部部分３００まで延在し、それぞれ、スキーの前部部分１００及び後部部分３００に対面する傾斜したエッジで終了する。各横断線Ｌ１、Ｌ２に対する層１２１、１２２、１２３、１２４、１２５上のエッジの傾斜角度は、前部部分１００及びスキーの後部部分３００に向かう方向において段階的に徐々に増加する。これは、傾斜した長手方向軸Ｌ０に対して相対的に傾斜する弱い区域及び線Ｌ３、Ｌ４の構成と同調する。当業者は、エッジの傾斜角度が増加すると、スキーの屈曲及びねじり剛性が局所的に減少するという意味において、非対称の特徴及び弱さが導入されることも理解するであろう。
【００２３】
本発明のさらに別の態様では、スキーは弱い区域１２’、１２’’を凹部の形状で備える（図１７−２０）。
弱い区域１２’、１２’’は、摺動面１４に対して長方形に、スキーの内側に向かって延在する。弱い区域１２’は、屈折点Ｔ１１、Ｔ１２の区域のスキーの前部部分１００上で使用可能であり、スキーの長手方向において第１のスキーエッジ１５’から離れて先端１０１に向かって最初に延在する。先端１０１上で、弱い区域１２’は正弦曲線、またはＳ字状の形状で湾曲する。それによって、スキーの長手方向軸Ｌ０がスキーエッジ１５’’に対向する方向に通過し、及びその先端１０１から離れて継続する。同様に、凹部の形状のもう１つの弱い区域１２’’は、スキーの後部部分３００に沿って延在する。
つまり、最初にスキーの長手方向において、第１のスキーエッジ１５’から離れて後端３０１に向かって延在する。後端３０１上では、スキーの長手方向軸Ｌ０は正弦またはＳ字状に転移する区域を通過し、スキーの後部部分３００の後端３０１上に向かう方向で、継続して第２のスキーエッジ１５’’から離れる。第１の可能な変形では（図１８）、このような凹部の形状の弱い区域１２’、１２’’は、上部支持層１２においてのみしか見ることができない。第２の可能な変形では（図１９）、このような弱い区域１２’、１２’’は、上部支持層１２及びコア１０の両方で使用可能である。第３の変形では（図２０）、弱い区域１２’、１２’’は上部支持層１１、コア１０及び底部支持層１１において使用可能である。
【図１】
2013542040.tif 000003
【図２】
2013542040.tif 000004
【図３】
2013542040.tif 000005
【図４】
2013542040.tif 000006
【図５】
2013542040.tif 000007
【図６】
2013542040.tif 000008
【図７】
2013542040.tif 000009
【図８】
2013542040.tif 000010
【図９】
2013542040.tif 000011
【図１０】
2013542040.tif 000012
【図１１】
2013542040.tif 000013
【図１２】
2013542040.tif 000014
【図１３】
2013542040.tif 000015
【図１４】
2013542040.tif 000016
【図１５】
2013542040.tif 000017
【図１６】
2013542040.tif 000018
【図１７】
2013542040.tif 000019
【図１８】
2013542040.tif 000020
【図１９】
2013542040.tif 000021
【図２０】
2013542040.tif 000022
【手続補正書】
【提出日】平成24年9月11日(2012.9.11)
【手続補正１】
【補正対象書類名】明細書
【補正対象項目名】全文
【補正方法】変更
【補正の内容】
【発明の詳細な説明】
【技術分野】
【０００１】
本発明は、スポーツに属し、具体的にはスキーの硬さを調節することに関する手段に属する。
【０００２】
本発明の目的は、スキーを作製することである。このスキーは、上面図周辺の寸法が基本的に不変であり、その外観が少なくとも略対称的であるにもかかわらず、両方のスキーエッジの領域における所定かつ規定の屈曲及びねじり剛性という意味では、非対称の特徴を有するものである。それにより、スキーを曲げることによって、左のスキーの滑走軌道の半径と右のスキーの滑走軌道の半径は異なり、次のような方法で相関する。つまり、左または右に曲がるときにスキーの各組を規則的に滑走させることによって、適切に負荷をかけた右または左のスキーエッジの軌道は、スキーエッジのいずれも横滑りすることなく、少なくとも略等距離を保つような方法で相関する。
【０００３】
左のスキーエッジの滑走の軌道半径と、右のスキーエッジの滑走の軌道半径が異なるスキーは、特許文献１（Ｓａｌｏｍｏｎ  Ｓ．Ａ．）に記載されている。
このスキーはコアを備え、コアの下には支持層の底部セットが配置され、その下には摺動面がスキーエッジと共に使用可能である。コア上には、支持層の上部セットがあり、その上には適切に装飾された上部被覆層が配置される。支持層のコア及び上部セットは特別に設計され、支持層のセットは、スキーの少なくとも１つの外表面に沿って対応するスキーエッジまで下方に傾斜する。層のセットの少なくとも１つの層は非対称に設計され、それによって、スキーは局所的に、スキーの長手方向軸の一つの側面の所望する区域において強化される。それによって、区域における屈曲及び／またはねじり剛性は、長手方向軸の反対側よりも高い。
周知のように、一組のスキーを通常は用いる。スキーの各組を製造する際には、同一のコアを両方のスキーに用いる。その上に、複数の非対称の層がコアの上に配置され、スキーの形状の非対称の外観がもたらされる。したがって、左及び右のスキーエッジの区域における屈曲及びねじり硬さなどのこのようなスキーの特徴も、特に非対称のコアを用いてこのようなスキーを作る際には、非対称である。このようなスキーの外観も明らかに明白に非対称である。
しかしながら、非対称の支持層を提供するだけでは、このようなスキーを左または右に規則的に曲げる間に、左または右のスキーエッジに沿った各組の両方のスキーの滑走軌道を、少なくとも基本的に等距離にすることを保証することは不可能である。
【０００４】
さらに、コアと、コア下部に位置する底部支持層と、コア上部に位置する支持層とを備えるスキーは、特許文献２（Ｓｋｉｓ  Ｒｏｓｓｉｇｎｏｌ  Ｓ．Ａ．）に記載されている。
スキーエッジを備える摺動面は、底部支持層下部に配置され、上部被覆層は上部支持層上部に配置される。コアは側壁によって横向きに覆われる。コアはストリップを備え、スキーの前部部分及び後部部分の区域において、ストリップは上部支持層及び底部支持層に平行に延在する。スキーの中央部分では、ストリップは上部支持層及び底部支持層に対して湾曲、つまり傾斜する。その結果として、使用中にこのようなスキーに負荷をかけると、非対称の屈曲及びねじり変形が両方のスキーエッジに沿って起こることが予測される。一般的に、このような取り組みはスキーの非対称の外観をもたらさない。
しかしながら、たとえば複数度の傾斜でストリップが少し軽く湾曲することだけでは、このようなスキーを左または右に曲げることによる軌道半径には基本的に差は生じないことを考慮すべきである。スキーの中央部分のストリップの傾斜を増加することによって、コアの厚さは基本的に増加し、結果的にスキーの中央部分の厚さ全体も増加する。これは、立ち位置の上昇を招き、さらに、スキーの中央部分の硬さも基本的に増加し、弾力性が減少する結果となる。さらに、ストリップの形状のおかげで、スキーの前部部分及び後部部分は、スキーの中央領域が圧縮及び屈曲を受けるとすぐに、理論的にはスキーの中央部分に対して回転しなくてはならない。
これは、一方では、スキーを直進して滑走させることによって、スキーを直角方向に曲げるだけで、このようなスキーは自動的に回転して直進方向から外れて滑走する傾向があることを意味する。他方では、曲がる際には、スキーの各組の外側のスキーは、通常は内側のスキーよりもはるかに大きい負荷を受け、外側のスキーの前部部分及び後部部分の回転が大きくなることによって、小さい半径の軌道に沿ってスキーが滑走することになる。これによって、外側のスキーは急速に内側のスキーに近づく。これは、次に、少なくとも１つのスキーエッジを適切に横滑りさせることによって修正することができる。これによって、基本的に速度が減少し、回転によってスキーを制御することがはるかに難しくなる。
【０００５】
さらに、特許文献３（Ｈａｌｄｅｍａｎｎ）も、コアと、コア下部に位置する底部支持層と、コア上部に位置する上部支持層とを備えるスキーを開示する。
スキーエッジを備える摺動面は底部支持層下部に配置され、上部被覆層は上部支持層上部に配置される。コアは側壁によって横向きに覆われる。スキーの各組の各スキーのねじり剛性を増加するために、補足支持層は上部支持層の上に配置され、各スキーの中央長手方向軸に対して非対称に延在する。左のスキーを観測すると、補足層は全体の幅に沿ってスキーの中央部分上に配置され、スキーの前部部分及び後部部分上では、補足層は右のスキーエッジの領域上でのみ使用可能である。反対に、左のスキー上では、補足層は、全体の幅に沿ってスキーの中央部分上に配置され、スキーの前部部分及び後部部分上では、補足層は、左のスキーエッジの領域上でのみ使用可能である。このような手段によって、スキーエッジの領域のねじり剛性が増加し、スキーエッジは、スキーを左または右に曲げることによって、ねじり変形により多くさらされ、具体的には、ち密に凍った地面上でスキーを滑走させることで、負荷をかけたスキーエッジが、振動及び同様に意図しない効果を伴って横滑りする。
ここで、スキーの特徴を基本的に向上させることができる補足層をスキーに設けると、スキーの厚さが基本的に増加し、結果的にスキーの重さ及び屈曲剛性も増加する。当業者は、この事例においても、非対称の概念によって、修正したスキーの外観及びこのようなスキーの非対称の形状が不可避的に発生することを理解するであろう。回転するスキー各組の外側のスキーのねじり剛性を増加するだけでは、前述の手段はむしろ完全に反対の効果をもたらすため、外側及び内側のスキーを互いから離間して略一定の距離で、信頼できる滑走を行うという意味では貢献できないことも明らかである。
【０００６】
非対称の特徴を備えるスキーは、特許文献４（Ｚａｉ  ＡＧ）に開示されている。
このようなスキーの前部及び後部部分は、中央部分に対して長手方向軸の回りにねじるように曲げられている。その結果として、スキーに負荷をかけたとき、つまりスキーを所定の一定の力で圧縮したとき、左及び右のスキーエッジの曲線が様々な半径となる。
このようなスキーは非対称の特徴だけではなく、明らかに非対称な外観も有し、またスキーの軌道の直進方向に沿って各所望する方向に維持することは極めて難しい。
【０００７】
さらに、非対称の特徴を備えるスキーは、特許文献５（Ｒｏｓｓｏｇｎｏｌ  ＳＡ）に記載されている。
非対称の特性は、スキーの前部及び後部部分から一部を取り除くことによって実現される。次に、取り除いた部分を非支持部品、たとえばプラスチック製の挿入物などと交換することによって、全体的で対称的な輪郭を備えるスキーの通常の外観が保証される。
このようなスキーは非対称の特徴を有するが、視覚的にも普通のスキーとは異なる。さらに、非支持部品は、個別に、スキーのその他部品に追加して生産しなければならない。また、特に、実際に使用するときには、スキーは全体として通常は不可欠な衝撃及び振動を受けるため、追加部品を確実に信頼できるように取り付けるために、このように修正したスキーをさらに適応させなければならない。
【先行技術文献】
【特許文献】
【０００８】
【特許文献１】欧州特許第１４８４０９１号
【特許文献２】欧州特許第０６６１０８６号
【特許文献３】スイス特許公開第６８１０６１号
【特許文献４】欧州特許公開第２２４８５６０号
【特許文献５】フランス特許公開第２６５９５６２号
【発明の概要】
【発明が解決しようとする課題】
【０００９】
本発明は、非対称の特徴を有するスキーに関する。本発明のスキーは、適切な半径で地面から屈曲する先端を備える前部部分と、スキー靴をスキーに取り付けるために用いる適切なスキーのビンディングを装着するように適応される中央部分と、後端を備える後部部分とを備える。さらに、スキーは、スキーの長手方向軸まで長方形に延在する各横断線に沿った断面で観測すると、コアを備える。コアは、一方では、地面に対面するスキーの下部側に配置される少なくとも１つの底部支持層と内部接続し、他方では、地面とは反対側に向くスキーの上部層に配置される少なくとも１つの上部支持層と内部接続する。コアは側壁によって側面を覆われ、その下部にスキーエッジが配置される。スキーエッジの間かつ各使用可能な底部支持層の下部に摺動面が配置される。少なくとも１つの上部支持層は少なくとも１つの好ましくは装飾された上部被覆層によって覆われる。スキーの中央部分は地面から離れて湾曲し、それによって解放されるスキーは、両方のスキーエッジの区域において地面に接する。スキーエッジ上の屈折点の領域における摺動面は、スキーの前部部分及び後部部分の最大幅の区域内に少なくとも略配置される。すなわち先端と湾曲中央部分との間の前部屈折点における左のスキーエッジに沿って、ならびにスキーの湾曲中央部分と後部部分の後端との間の後部屈折点における左のスキーエッジに沿って配置され、さらに、先端と湾曲中央部分との間の前部屈折点における右のスキーエッジに沿って、ならびにスキーの湾曲中央部分と後部部分の後端との間の後部屈折点における右のスキーエッジに沿って配置される。
【００１０】
本発明は、スキーが、長手方向軸の回りを所定の角度で回転し、さらに、左のスキーの前部屈折点と右のスキーの前部屈折点を通過する線に沿って半径分だけ地面Ｐから湾曲する。線は、スキーの後部部分、中央部分、先端を除いて前部部分を通過して延在する長手方向軸に対して傾斜して延在する。そのため、上面から見たスキーの輪郭が視覚的に対称的であるにも関わらず、左のスキーエッジの前部屈折点と後部屈折点との間の距離は、右のスキーエッジの前部屈折点と後部屈折点との間の距離とは異なる。それにより、スキーエッジの両方の使用可能な長さは互いに異なり、スキーの各組において、スキーの内側に位置するスキーエッジの使用可能な長さは、スキーの外側の使用可能な長さより長い。
【００１１】
さらに本発明によれば、左のスキーエッジ上の前部屈折点と後部屈折点との間の距離と、右のスキーエッジの前部屈折点と後部屈折点との間の距離とは次のように決定される。スキーの前部部分上の左及び右のスキーエッジ上の両方の前部屈折点を通じて延在する線と、横向きに延在し、つまり、スキーの長手方向軸に垂直、かつ摺動面に平行に延在する線とが所定の第１の角度を画定する。また、スキーの後部部分上の左及び右のスキーエッジ上の両方の後部屈折点を通じて延在する線と、横向きに延在し、つまり、スキーの長手方向軸に垂直かつ摺動面に平行に延在する線とが所定の第２の角度を画定する。このとき、第１及び第２の角度は互いに等しくなるように決定される。反対に、左のスキーエッジ上の前部屈折点と後部屈折点との間の距離と、右のスキーエッジの前部屈折点と後部屈折点との間の距離とは次のように決定される。スキーの前部部分上の左及び右のスキーエッジ上の両方の前部屈折点を通じて延在する線と、横向きに延在し、つまり、スキーの長手方向軸に垂直、かつ摺動面に平行に延在する線とが所定の第１の角度を画定する。スキーの後部部分上の左及び右のスキーエッジ上の両方の後部屈折点を通じて延在する線と、横向きに延在し、つまり、スキーの長手方向軸に垂直かつ摺動面に平行に延在する線とが所定の第２の角度を画定する。このとき、第１及び第２の角度は互いに異なるように決定される。さらに、本発明は、短い使用可能な長さを有する各スキーエッジ上の屈折点間の区域は、横断線によって区切られる区域内に配置され、反対に、長い使用可能な長さを有する各スキーエッジ上の屈折点間の区域は、横断線によって区切られる区域を超えることを提示する。
【００１２】
さらに、本発明によると、スキーが左または右に曲がる際の軌道曲線の各所望する半径は、先端が屈曲する線をスキーの長手方向軸に対して画定する手段によって規定される。すなわち左のスキーエッジ上の屈折点及び右のスキーエッジ上の屈折点の位置を決定する手段によって規定される。それによって、スキーの各組曲がる際に、スキーエッジの屈折点の各組間の有効な長さが異なるため、各外側のスキーの軌道曲線の半径は各内側のスキーの軌道曲線の半径よりも大きく、スキーの各組において両方のスキーの屈折点は鏡面対称である。
【００１３】
さらに、左のスキーエッジ及び右のスキーエッジの使用可能な長さが異なるようにするために、すなわち、左のスキーエッジ上の前部屈折点と後部屈折点との間の距離と、右のスキーエッジ上の前部屈折点と後部屈折点との間の距離が異なるようにするために、短い使用可能な長さを有するべきであるスキーエッジ上の屈折点の領域において、各使用可能な支持層の少なくとも１つ上で部分的に弱い区域を予測する。それによって、対応して、両方のスキーエッジの地面に対する圧縮の配分も互いに異なる。部分的に弱い区域をスキーの前部部分上に予測し、すなわち、短い使用可能な長さを有するべきであるスキーエッジの屈折点の領域において予測する。少なくとも１つの別の弱い区域をスキーの後部部分上に予測し、すなわち、短い使用可能な長さを有するべきであるスキーエッジの屈折点の領域において予測する。それによって、関連するスキーエッジの使用可能な長さは、部分的に弱い区域間の距離に少なくとも略対応する。部分的に弱い区域はスキーの上部支持層の切り欠き、または底部支持層の切欠きであってもよい。
【００１４】
本発明の別の実施形態では、スキーの上部支持層は、スキーの前部部分に配置される部分的に弱い区域と、スキーの後部部分に配置される部分的に弱い区域を備える。上部支持層はさらに、傾斜した端部部分を備える少なくとも１つの補足支持層と組み合わされる。各上部補足支持層の長さは各下部補足支持層の長さより短く、各傾斜端部部分は、部分的に弱い区域が配置されるスキーの長手方向軸側の各補足支持層の長さが、長手方向軸の反対側の長さよりも短くなるように切断される。さらに別の実施形態では、短い使用可能な長さを有するスキーエッジ上の前部屈折点の領域において、スキーの前部部分上に予測される部分的に弱い区域と、短い使用可能な長さを有するスキーエッジ上の後部屈折点の領域において、スキーの後部部分に予測される少なくとも１つの別の部分的に弱い区域は、摺動面に対して少なくとも略垂直に延在する凹部として使用可能である。好ましくは、凹部の形状の弱い区域は、前部屈折点の領域においてスキーの前部部分上で使用可能である。弱い区域は第１のスキーエッジから離れ、かつ先端に向かって、スキーの長手方向に最初に延在する。先端上では、スキーの長手方向において、第２のスキーエッジから離れ、かつ先端に向かって継続するために、スキーの長手方向軸は正弦またはＳ字状に転移する区域を通過する。凹部の形状のもう１つの弱い区域は、後部屈折点の領域においてスキーの後部部分上で使用可能である。もう１つの弱い区域は第１のスキーエッジから離れ、かつ後端に向かって、スキーの長手方向に最初に延在する。後端上には、スキーの長手方向において、第２のスキーエッジから離れ、かつ後端に向かって継続するために、スキーの長手方向軸は正弦またはＳ字状に転移する区域を通過する。一実施形態では、凹部の形状の弱い区域はスキーの上部支持層上で予測されるが、別の実施形態では、凹部の形状の弱い区域はスキーの上部支持層上と、スキーのコアの区域でも予測される。さらに別の実施形態では、凹部の形状の弱い区域はスキーの上部支持層上と、コアと、底部支持層の区域にも予測される。
【図面の簡単な説明】
【００１５】
【図１】非対称の特徴を備えるスキーの斜視図
【図２】図１のスキーの前部部分の上面図
【図３】図１のスキーの前部部分を概略的に示す上面図
【図４】図２の矢印Ｃに沿った図１のスキーの前面図
【図５】図１のスキーの底面図
【図６】図１及び２のスキーの一実施形態の上面図
【図７】同、スキーの解放されたでありスキーエッジの使用可能な長さの図
【図８】同、スキーの負荷がかかった右のスキーエッジを下に圧縮した図
【図９】同、スキーの解放された左のスキーエッジの使用可能な長さの図
【図１０】同、スキーの負荷がかかった左のスキーエッジを下に圧縮した図
【図１１】同、スキーの右のスキーエッジの概略図
【図１２】同、スキーの左のスキーエッジの概略図
【図１３】同、線Ａ−Ａの区域のスキーの展開図
【図１４】同、線Ａ−Ａに沿ったスキーの断面図
【図１５】同、上部支持層の図
【図１６】本発明の別の実施形態のスキーの図
【図１７】本発明のさらに別の実施形態の図
【図１８】同、線Ｂ−Ｂに沿ったスキーの断面図
【図１９】同、線Ｂ−Ｂに沿ったスキーの別の実施形態の断面図
【図２０】同、線Ｂ−Ｂに沿ったスキーのさらに別の実施形態の断面図
【発明を実施するための形態】
【００１６】
本発明を添付図に示す実施形態によって説明する。
【００１７】
本発明によるスキー（図１）は相対的に弾力性があり、変形可能な屈曲ねじりビームであり、地面Ｐから離れて屈曲する前部部分と、スキー靴を取り付けるように適応される中央部分２００と、後部部分３００とを含む。各スキーの屈曲ねじりの特徴はスキーの適切な構造によってのみ、具体的には、コア１０（図１３及び１４）によってのみ得られる。
コア１０の下部には、地面Ｐに対面する側部上に少なくとも１つの底部支持層１１が配置され、コア１０の上部には、少なくとも１つの上部支持層１２が配置される。コア１０は側壁１３’、１３’’によって側部から覆われ、コア１０の下にはスキーエッジ１５’、１５’’が配置される。すなわち、左のスキーエッジ１５’及び右のスキーエッジ１５’’との間に摺動面１４が配置される。摺動面１４は底部支持層１１下部に対応して配置される。上部支持層１２は上部被覆層１６によって覆われる。上部被覆層１６は、好ましくは、側壁１３’、１３’’と共に、外部影響からコア１０及び支持層１１、１２を保護するように装飾され、意図される。コア１０によって維持される、底部と上部支持層１１、１２との間の距離のおかげで、スキーの適切な屈曲剛性が保証され、また、所望する各ねじり剛性は対応する形態及び支持層１１、１２の強度によって得られる。
【００１８】
スキーエッジ１５’、１５’’のそれぞれは、一般的に、前部部分１００の先端１０１から始まり、中央部分２００を経て端部部分、つまり後部部分３００の後端３０１まで至る、スキーの長さ全体に沿って連続して延在する。
一般的に、スキーはその中央部分２００で地面Ｐから離れて湾曲する。各スキーエッジ１５’、１５’’は、先端１０１から前部屈折点Ｔ１１、Ｔ１２を経て、中央部分２００の湾曲に向かって延在し、スキーの後部部分３００においては、湾曲から後部屈折点Ｔ２１、Ｔ２２を経て、相対的に直線的またはわずかに地面Ｐから湾曲している湾曲端部部分３０２に延在する。
たとえば図１１及び１２から明らかなように、左のスキーエッジ１５’上には、前部屈折点Ｔ１１及び後部屈折点Ｔ２１があり、右のスキーエッジ１５’’上には、前部屈折点Ｔ１２及び後部屈折点Ｔ２２がある。
【００１９】
本発明によると、スキーの前部部分１００（図２及び４）は、長手方向軸Ｌ０の回りを所定の角度ψで回転し、後部部分３００、中央部分２００、先端１０１を除いて前部部分１００を通過して、長手方向軸Ｌ０に関して傾斜して延在する線Ｌ３に沿って半径Ｒで地面Ｐから湾曲する。すなわち、左のスキーエッジ１５’の前部屈折点Ｔ１１及び右のスキーエッジ１５’’の前部屈折点Ｔ１２を通過する。
それによって、上面図においてスキーの輪郭が視覚的に略対称的な外観にも関わらず、左のスキーエッジ１５’の前部屈折点Ｔ１１と後部屈折点Ｔ２１との間の距離は、右のスキーエッジ１５’’の前部屈折点Ｔ１２と後部屈折点Ｔ２２との間の距離とは異なり、それにより、両方のスキーエッジ１５、１５’’の使用可能な長さは互いに異なる。
【００２０】
図９に示す左のスキーエッジ１５’の使用可能な長さは、屈折点Ｔ１１とＴ２１との間の距離に相当する。そこでは、解放されたスキーは地面Ｐ上に存在する。
同様に、図７に示す右のスキーエッジ１５’’の使用可能な長さは、屈折点Ｔ１２とＴ２２との間の距離に相当する。そこでは、解放されたスキーは地面Ｐ上に存在する。
本発明によるスキーは、上面図におけるスキーの輪郭の略対称的な外観にもかかわらず、両方のスキーエッジ１５’、１５’’の使用可能な長さは互いに異なるという事実を特徴とする。それにより、前部区域１００及び後部区域３００の左のスキーエッジ１５’の屈折点Ｔ１１とＴ２１との間の距離は、スキーの前部区域１００及び後部区域３００の右のスキーエッジ１５’’上の屈折点Ｔ１２とＴ２２との間の距離とは異なる。この点において、左のスキーエッジ１５’上の屈折点Ｔ１１とＴ２１との間の距離と、右のスキーエッジ１５’’上の屈折点Ｔ１２とＴ２２との間の距離は次のように決まる。
つまり、スキーの前部部分１００の左及び右のスキーエッジ１５’、１５’’の屈折点Ｔ１１、Ｔ１２を通過する線Ｌ３は、スキーの線Ｌ３及び長手方向軸Ｌ０の断面を横断する方向に延在する線Ｌ１と共に、角度αを画定する。
【００２１】
一方、スキーの後部部分３００の左及び右のスキーエッジ１５’、１５’’の屈折点Ｔ２１、Ｔ２２を通過する線Ｌ４は、スキーの線Ｌ４及び長手方向軸Ｌ０の断面を横断方向に延在する線Ｌ２と共に、角度βを画定する。角度α及びβは互いに等しくてもよいが、等しくなくてもよい。
スキーの前部及び後部区域１００、３００の横断線Ｌ１、Ｌ２を考慮に入れると、各屈折点Ｔ１１とＴ１２との間及びＴ２１とＴ２２との間のスキーエッジ１５’、１５’’の短い使用可能な長さは、横断線Ｌ１とＬ２との間の区域の範囲内であり、屈折点Ｔ１１とＴ１２との間及びＴ２１とＴ２２との間のスキーエッジ１５’、１５’’の長い使用可能な長さは、横断線Ｌ１、Ｌ２が限定する区域よりも長くなる。屈折点Ｔ１１とＴ１２との間及びＴ２１とＴ２２との間のスキーエッジ１５’、１５’’の使用可能な長さが異なるスキーの概念の結果として、スキーを左に曲げる際の軌道半径は、スキーを右に曲げる際の軌道半径とは異なる。
スキーの各組を同時に回転させると、各外側のスキーの軌道半径は各内側のスキーの軌道半径より大きくなる。それによって、スキーの各組を曲げることによって、毎回内側のスキー及び外側のスキーはお互いから略等距離で滑走する。当業者には、回転時のスキーの軌道の曲線の各半径は、左のスキーエッジ１５’上の屈折点Ｔ１１、Ｔ２１の各適切な位置、ならびに右のスキーエッジ１５’’上の屈折点Ｔ１２、Ｔ２２によって異なることが理解されよう。
すなわち、少なくともスキーエッジ１５’、１５’’上の前部屈折点Ｔ１１とＴ１２との間の線Ｌ３の位置、及びスキーの長手方向軸Ｌ０に対する先端１０１の回転角度ψによって異なる。スキーの各組の両方のスキー上の屈折点Ｔ１１、Ｔ１２、Ｔ２１、Ｔ２２は鏡面対称である。
【００２２】
本発明によると、前述のスキーの概念は、比較的単純な方法で、好ましくは、スキーエッジ１５’、１５’’上の屈折点Ｔ１１、Ｔ１２に隣接する支持層１１、１２の少なくとも１つにある対応する弱い区域１２’、１２’’と組み合わせて実現することができる。屈折点Ｔ１１、Ｔ１２は短い使用可能な長さ、すなわち、両方の屈折点Ｔ１１とＴ１２との間、Ｔ２１とＴ２２との間の距離を有する。
その結果として、弱い区域１２’、１２’’を上部支持層１２（図６及び１５）の切欠きによって実現可能である。切欠きは、スキーの前部部分１００または後部部分３００上のスキーエッジ１５’、１５’’のうち１つの屈折点Ｔ１１、Ｔ１２、Ｔ２１、Ｔ２２に隣接した区域にある。任意には、弱い区域１２’、１２’’を、適切に設計する各残留支持層１２１、１２２、１２３、１２４、１２５（図１６）と組み合わせて、またはスキーエッジ１５、１５’’の屈折点Ｔ１１、Ｔ１２、Ｔ２１、Ｔ２２の区域における凹部（図１７−２０）によって、実現可能である。これらすべての可能性を、より詳細に以下に説明する。
【００２３】
左のスキーエッジ１５’の使用可能な長さを減らすために、図６及び１５に示す実施形態では、上部支持層１２は２つの弱い区域１２’、１２’’を切欠きの形状で備える。
弱い区域１２’、１２’’は前部屈折点Ｔ１１及び後部屈折点Ｔ２１に隣接して配置される。図８及び１０に示すように、弱い区域１２’、１２’’を設けることによって、とりわけ、スキーエッジ１５、１５’’の区域における地面Ｐに対する圧縮が配分される。
スキーの前部及び後部部分１００、３００のねじり変形は、単に関連区域のスキー幅ならびに区域１００、３００におけるスキーのねじり剛性に依存する。スキーの前部部分１００及び／または後部部分３００における少なくとも１つの支持層１１、１２を弱くすることによって、より正確には、各対応するスキーエッジ１５’、１５’’の各関連する屈折点Ｔ１１、Ｔ１２、Ｔ２１、Ｔ２２に近接して、ねじり剛性は局所的に低減する。
それによって、スキーエッジ１５’、１５’’の使用可能な長さは低減し、スキーエッジ１５’、１５’’によって圧縮が生じる。それによって、回転時のスキーの軌道半径は対応して変化する。スキーの様々な特徴を保証するために、弱い区域１２’、１２’’は異なっていてもよい。スキーの長手方向軸Ｌ０、弱い区域１２’、１２’’は長手方向軸Ｌ０の１つの側に完全に配置することができる。または少なくとも弱い区域１２’、１２’’の主表面は、スキーの各組の外側に対応する長手方向軸Ｌ０の該当する側で使用可能である。弱い区域１２’、１２’’の残留部分はその表面全体のたとえば１０％から４０％以下であり、長手方向軸Ｌ０の反対側に配置されてもよい。
【００２４】
図１６に示す本発明の別の態様によると、支持層１１、１２の少なくとも１つの弱い区域１２’、１２’’は、別の補足支持層１２１、１２２、１２３、１２４、１２５の存在と組み合わされる。
別の補足支持層１２１、１２２、１２３、１２４、１２５は、スキーの中央領域２００から前部部分１００及び後部部分３００まで延在し、それぞれ、スキーの前部部分１００及び後部部分３００に対面する傾斜したエッジで終了する。各横断線Ｌ１、Ｌ２に対する層１２１、１２２、１２３、１２４、１２５上のエッジの傾斜角度は、前部部分１００及びスキーの後部部分３００に向かう方向において段階的に徐々に増加する。これは、傾斜した長手方向軸Ｌ０に対して相対的に傾斜する弱い区域及び線Ｌ３、Ｌ４の構成と同調する。当業者は、エッジの傾斜角度が増加すると、スキーの屈曲及びねじり剛性が局所的に減少するという意味において、非対称の特徴及び弱さが導入されることも理解するであろう。
【００２５】
本発明のさらに別の態様では、スキーは弱い区域１２’、１２’’を凹部の形状で備える（図１７−２０）。
弱い区域１２’、１２’’は、摺動面１４に対して長方形に、スキーの内側に向かって延在する。弱い区域１２’は、屈折点Ｔ１１、Ｔ１２の区域のスキーの前部部分１００上で使用可能であり、スキーの長手方向において第１のスキーエッジ１５’から離れて先端１０１に向かって最初に延在する。先端１０１上で、弱い区域１２’は正弦曲線、またはＳ字状の形状で湾曲する。それによって、スキーの長手方向軸Ｌ０がスキーエッジ１５’’に対向する方向に通過し、及びその先端１０１から離れて継続する。同様に、凹部の形状のもう１つの弱い区域１２’’は、スキーの後部部分３００に沿って延在する。
つまり、最初にスキーの長手方向において、第１のスキーエッジ１５’から離れて後端３０１に向かって延在する。後端３０１上では、スキーの長手方向軸Ｌ０は正弦またはＳ字状に転移する区域を通過し、スキーの後部部分３００の後端３０１上に向かう方向で、継続して第２のスキーエッジ１５’’から離れる。第１の可能な変形では（図１８）、このような凹部の形状の弱い区域１２’、１２’’は、上部支持層１２においてのみしか見ることができない。第２の可能な変形では（図１９）、このような弱い区域１２’、１２’’は、上部支持層１２及びコア１０の両方で使用可能である。第３の変形では（図２０）、弱い区域１２’、１２’’は上部支持層１１、コア１０及び底部支持層１１において使用可能である。
【手続補正２】
【補正対象書類名】特許請求の範囲
【補正対象項目名】全文
【補正方法】変更
【補正の内容】
【特許請求の範囲】
【請求項１】
非対称の特徴を有し、適切な半径（Ｒ）で地面（Ｐ）から屈曲する先端（１０１）を備える前部部分（１００）と、スキー靴を前記スキーに取り付けるために用いる適切なスキーのビンディングを装着するように適応される中央部分（２００）と、後端（３０１）を備える後部部分（３００）とを備えるスキーであって、
前記スキーは、前記スキーの長手方向軸（Ｌ０）まで長方形に延在する各横断線（Ｌ１、Ｌ２）に沿った断面視では、コア（１０）を備え、前記コア（１０）は、一方では、前記地面（Ｐ）に対面する前記スキーの下部側に配置される少なくとも１つの底部支持層（１１）と内部接続し、他方では、前記地面（Ｐ）とは反対側に向く前記スキーの上部層に配置される少なくとも１つの上部支持層（１２）と内部接続し、
前記コア（１０）は、側壁（１３’、１３’’）によって側面を覆われ、その下部にスキーエッジ（１５’、１５’’）が配置され、前記スキーエッジ（１５’、１５’’）の間かつ各使用可能な底部支持層（１１）の下部に摺動面（１４）が配置され、前記少なくとも１つの上部支持層（１２）は少なくとも１つの好ましくは装飾された上部被覆層（１６）によって覆われ、
前記スキーの前記中央部分（２００）は、前記地面（Ｐ）から離れて湾曲し、それによって解放される前記スキーは、両方のスキーエッジ（１５’、１５’’）の前記区域において前記地面（Ｐ）に接し、前記スキーエッジ（１５’、１５’’）上の屈折点（Ｔ１１、Ｔ１２；Ｔ２１、Ｔ２２）の前記領域における前記摺動面（１４）は、前記スキーの前記前部部分（１００）及び前記後部部分（３００）の最大幅の前記区域内に少なくとも略配置され、前記先端（１０１）と前記湾曲中央部分（２００）との間の前記前部屈折点（Ｔ１１）における前記左のスキーエッジ（１５’）に沿って、ならびに前記スキーの前記湾曲中央部分（２００）と前記後部部分（３００）の前記後端（３０１）との間の前記後部屈折点（Ｔ２１）における前記左のスキーエッジ（１５’）に沿って配置され、さらに、前記先端（１０１）と前記湾曲中央部分（２００）との間の前記前部屈折点（Ｔ１２）における前記右のスキーエッジ（１５’’）に沿って、ならびに前記スキーの前記湾曲中央部分（２００）と前記後部部分（３００）の前記後端（３０１）との間の前記後部屈折点（Ｔ２２）における前記右のスキーエッジ（１５’’）に沿って配置され、
前記先端（１０１）の前記区域において、前記スキーは長手方向軸（Ｌ０）の回りを所定の角度（ψ）で回転され、さらに、前記左のスキーエッジ（１５’）上の前記前部屈折点（Ｔ１１）及び前記右のスキーエッジ（１５’’）上の前記前部屈折点（Ｔ１２）を通る線（Ｌ３）に沿って前記地面（Ｐ）から半径（Ｒ）で屈曲し、前記線は前記長手方向軸（Ｌ０）に対して傾斜して延在し、前記長手方向軸（Ｌ０）は、前記スキーの前記後部部分（３００）と、前記中央部分（２００）と、前記前部部分（１００）とに沿って前記先端（１０１）を除いて延在し、それによって、前記上面視での前記スキーが視覚的に対称的な輪郭を有するにも関わらず、前記左のスキーエッジ（１５’）の前記前部屈折点（Ｔ１１）と前記後部屈折点（Ｔ２１）との間の距離は、前記右のスキーエッジ（１５’’）の前記前部屈折点（Ｔ１１）と前記後部屈折点（Ｔ２１）との間の前記距離とは異なり、それによって、両方のスキーエッジ（１５’、１５’’）の使用可能な長さは互いに異なり、スキーの各組において、前記スキーの前記内側に配置される前記スキーエッジ（１５’、１５’’）の前記使用可能な長さは、前記スキーの前記外側の前記使用可能な長さより長く、
前記左のスキーエッジ（１５’）上の前記前部屈折点（Ｔ１１）と前記後部屈折点（Ｔ２１）との間の前記距離と、前記右のスキーエッジ（１５’）上の前記前部屈折点（Ｔ１２）と前記後部屈折点（Ｔ２２）との間の距離は、
前記線（Ｌ３）と前記線（Ｌ１）とが所定の第１の角度（ａ）を画定するように決定され、前記線（Ｌ３）は前記スキーの前記前部部分（１００）上の前記左及び右のスキーエッジ（１５’、１５’’）上の両方の前部屈折点（Ｔ１１、Ｔ１２）を通じて延在し、前記線（Ｌ１）は横向きに延在し、前記スキーの前記長手方向軸（Ｌ０）に垂直かつ前記摺動面（１４）に平行に延在し、
前記線（Ｌ４）と前記線（Ｌ２）とが所定の第２の角度（β）を画定するように決定され、前記線（Ｌ４）は前記スキーの前記後部部分（３００）上の前記左及び右のスキーエッジ（１５’、１５’’）上の両方の後部屈折点（Ｔ２１、Ｔ２２）を通じて延在し、前記線（Ｌ２）は横向きに延在し、前記スキーの前記長手方向軸（Ｌ０）に垂直かつ前記摺動面（１４）に平行に延在し、
前記第１及び第２の角度（α、β）は互いに等しく、
前記左のスキーエッジ（１５’）上の前記前部屈折点（Ｔ１１）と前記後部屈折点（Ｔ２１）との間の前記距離と、前記右のスキーエッジ（１５’）上の前記前部屈折点（Ｔ１２）と前記後部屈折点（Ｔ２２）との間の距離は、
前記線（Ｌ３）と前記線（Ｌ１）とが所定の第１の角度（ａ）を画定するように決定され、前記線（Ｌ３）は前記左及び右のスキーエッジ（１５’、１５’’）上の前記スキーの前記前部部分（１００）上の両方の前部屈折点（Ｔ１１、Ｔ１２）を通じて延在し、前記線（Ｌ１）は横向きに延在し、つまり、前記スキーの前記長手方向軸（Ｌ０）に垂直かつ前記摺動面（１４）に平行に延在し、
前記線（Ｌ４）と前記線（Ｌ２）とが所定の第２の角度（β）を画定するように決定され、前記線（Ｌ４）は前記スキーの前記後部部分（３００）上の前記左及び右のスキーエッジ（１５’、１５’’）上の両方の後部屈折点（Ｔ２１、Ｔ２２）を通じて延在し、前記線（Ｌ２）は横向きに延在し、前記スキーの前記長手方向軸（Ｌ０）に垂直かつ前記摺動面（１４）に平行に延在し、
前記第１及び第２の角度（α、β）は互いに異なり、
短い使用可能な長さを有する各スキーエッジ（１５’、１５’’）上の前記屈折点（Ｔ１１、Ｔ１２；Ｔ２１、Ｔ２２）間の前記区域は、前記横断線（Ｌ１、Ｌ２）によって区切られる前記区域内に配置され、反対に、長い使用可能な長さを有する各スキーエッジ（１５’、１５’’）上の前記屈折点（Ｔ１１、Ｔ１２；Ｔ２１、Ｔ２２）間の前記区域は、前記横断線（Ｌ１、Ｌ２）によって区切られる前記区域を超え、
前記スキーが左または右に曲がる際の前記軌道曲線の各所望する半径は、前記先端（１０１）が屈曲する前記線（Ｌ３）を前記スキーの前記長手方向軸（Ｌ０）に対して画定する手段によって規定され、前記左のスキーエッジ（１５’）上の前記屈折点（Ｔ１１、Ｔ２１）及び前記右のスキーエッジ（１５’’）上の前記屈折点（Ｔ１２、Ｔ２２）の位置を決定する手段によって規定され、それによって、スキーの各組が曲がる際に、前記スキーエッジ（１５’、１５’’）の屈折点（Ｔ１１、Ｔ２１；Ｔ１２、Ｔ２２）の各組間の有効な長さが異なるため、各外側のスキーの前記軌道曲線の前記半径は各内側のスキーの前記軌道曲線の前記半径よりも大きく、スキーの各組において両方のスキーの前記屈折点（Ｔ１１、Ｔ２１；Ｔ１２、Ｔ２２）は鏡面対称であり、
前記左のスキーエッジ（１５’）及び前記右のスキーエッジ（１５’’）の使用可能な長さが異なるようにするため、前記左のスキーエッジ（１５’）上の前記前部屈折点（Ｔ１１）と前記後部屈折点（Ｔ２１）との間の前記距離と、前記右のスキーエッジ（１５’’）上の前記前部屈折点（Ｔ１２）と前記後部屈折点（Ｔ２２）との間の前記距離が異なるようにするために、短い使用可能な長さを有するべきであるスキーエッジ（１５’、１５’’）上の屈折点（Ｔ１１、Ｔ２１；Ｔ１２、Ｔ２２）の前記領域において各使用可能な支持層（１１、１２）の少なくとも１つ上で部分的に弱い区域（１２’、１２’’）を予測し、それによって対応して、両方のスキーエッジ（１５’、１５’’）の前記地面（Ｐ）に対する圧縮の配分も互いに異なる
ことを特徴とするスキー。
【請求項２】
前記部分的に弱い区域（１２’）を前記スキーの前記前部部分（１００）上に予測、短い使用可能な長さを有する前記スキーエッジ（１５’、１５’’）の屈折点（Ｔ１１、Ｔ１２）の前記領域において予測し、少なくとも１つの別の弱い区域（１２’’）を前記スキーの前記後部部分（３００）上に予測、短い使用可能な長さを有する前記スキーエッジ（１５’、１５’’）の屈折点（Ｔ２１、Ｔ２２）の前記領域において予測し、それによって、関連するスキーエッジ（１５’、１５’’）の前記使用可能な長さは、前記部分的に弱い区域（１２’、１２’’）間の前記距離に少なくとも略対応する
請求項１に記載のスキー。
【請求項３】
前記部分的に弱い区域（１２’、１２’’）は、前記スキーの前記上部支持層（１２）における切欠きである
請求項１または２に記載のスキー。
【請求項４】
前記部分的に弱い区域（１２’、１２’’）は、前記スキーの前記上部支持層（１２）及び前記底部支持層（１１）における切欠きである
請求項１または２に記載のスキー。
【請求項５】
前記スキーの前記上部支持層（１２）は、前記スキーの前記前部部分（１００）に配置される部分的に弱い区域（１２’）と、前記スキーの前記後部部分（３００）に配置される前記部分的に弱い区域（１２’’）とを備え、前記上部支持層（１２）はさらに、傾斜した端部部分を備える少なくとも１つの補足支持層（１２１、１２２、１２３、１２４、１２５）と組み合わされ、各上部補足支持層（１２１、１２２、１２３、１２４、１２５）の長さは各下部補足支持層（１２１、１２２、１２３、１２４、１２５）の長さより短く、各傾斜端部部分は前記部分的に弱い区域が配置される前記スキーの前記長手方向軸（Ｌ０）側の各補足支持層（１２１、１２２、１２３、１２４、１２５）の前記長さが、前記長手方向軸（Ｌ０）の前記反対側の長さよりも短くなるように切断される
請求項３または４に記載のスキー。
【請求項６】
短い使用可能な長さを有する前記スキーエッジ（１５’、１５’’）上の屈折点（Ｔ１１、Ｔ１２）の前記領域において、前記スキーの前記前部部分（１００）上に予測される前記部分的に弱い区域（１２’）と、短い使用可能な長さを有する前記スキーエッジ（１５’、１５’’）上の前記後部屈折点（Ｔ２１、Ｔ２２）の前記領域において、前記スキーの前記後部部分（３００）に予測される少なくとも１つの別の部分的に弱い区域（１２’’）は、前記摺動面（１４）に対して少なくとも略垂直に延在する凹部（１２’、１２’’）として使用可能である
請求項１に記載のスキー。
【請求項７】
前記凹部の形状の前記弱い区域（１２’）は、前記前部屈折点（Ｔ１１、Ｔ１２）の前記領域において前記スキーの前記前部部分（１００）上で使用可能であり、前記弱い区域（１２’）は前記第１のスキーエッジ（１５’）から離れ、かつ前記先端（１０１）に向かって前記スキーの前記長手方向に最初に延在し、前記先端（１０１）上には、前記スキーの前記長手方向において、前記第２のスキーエッジ（１５’’）から離れ、かつ前記先端（１０１）に向かって継続するために、前記スキーの前記長手方向軸（Ｌ０）は正弦またはＳ字状に転移する前記区域において通過する一方、前記凹部の形状のもう１つの弱い区域（１２’’）は、前記後部屈折点（Ｔ２１、Ｔ２２）の前記領域において前記スキーの前記後部部分（３００）上で使用可能であり、前記もう１つの弱い区域（１２’’）は前記第１のスキーエッジ（１５’）から離れ、かつ前記後端（３０１）に向かって前記スキーの前記長手方向に最初に延在し、前記後端（３０１）上には、前記スキーの前記長手方向において、前記第２のスキーエッジ（１５’’）から離れ、かつ前記後端（３０１）に向かって継続するために、前記スキーの前記長手方向軸（Ｌ０）は正弦またはＳ字状に転移する前記区域において通過する
請求項１に記載のスキー。
【請求項８】
前記凹部の形状の前記弱い区域（１２’、１２’’）は、前記スキーの前記上部支持層（１２）上に予測される
請求項７に記載のスキー。
【請求項９】
前記凹部の形状の前記弱い区域（１２’、１２’’）は、前記スキーの前記上部支持層（１２）上と、前記コア（１０）の前記区域にも予測される
請求項７に記載のスキー。
【請求項１０】
前記凹部の形状の前記弱い区域（１２’、１２’’）は、前記スキーの前記上部支持層（１２）上と、前記コア（１０）の前記区域（１０）と、前記底部支持層（１１）にも予測される
請求項７に記載のスキー。
【国際調査報告】
2013542040.tif 000023
2013542040.tif 000024